(57)【要約】テンションマスク（３０）にクロスワイヤ（４６）を適用するための方法及び装置。かかる方法は、クロスワイヤを様々なドラムアセンブリ（３０１、４０４、５０４）に巻きつけて、次いでクロスワイヤ（４６）の部分を取り除き、それらをテンションマスク（３０）に移動する、移動装置（３０７、４０６、５５０）を使用することを含む。
2004516632.tif 000002
【特許請求の範囲】
【請求項１】
テンションマスクフレームアセンブリ（３０４）にクロスワイヤ（４６）を適用するための装置（３００、４００、５０６）であって、
（ａ）ドラム（３０２、４０１、５０３）に巻き付けられた一つ以上のクロスワイヤを有するドラムアセンブリ（３０１、４０４、５０４）と、
（ｂ）前記ドラムから複数のクロスワイヤセグメントを同時に取り外し、かつ、前記マスクフレームアセンブリ上に前記クロスワイヤセグメントを位置付けるためのクロスワイヤ移動装置（３０７、４０６、５５０）と
を備えて成ることを特徴とする、装置。
【請求項２】
前記クロスワイヤ移動装置は、１セットの移動バー（３０６）を備えることを特徴とする、請求項１に記載の装置。
【請求項３】
前記クロスワイヤ移動装置は、形に合わせて形成された磁気真空装置（４０８）であることを特徴とする、請求項１に記載の装置。
【請求項４】
前記クロスワイヤ移動装置は、バネがロードされたクロスワイヤ移動装置（５５２）であることを特徴とする、請求項１に記載の装置。
【請求項５】
テンションマスク（３０）にクロスワイヤ（４６）を適用するための方法であって、
（ａ）円筒状のドラム（３０２、４０１、５０３）に少なくとも一つのクロスワイヤを巻き付ける段階と、
（ｂ）特定の長さを有するクロスワイヤセグメントを形成するために少なくとも一つのクロスワイヤを切断する段階と、
（ｃ）前記クロスワイヤセグメントを前記テンションマスクに移動する段階と、
（ｄ）前記クロスワイヤセグメントを前記テンションマスクに取り付ける段階と
を含むことを特徴とする、方法。
【請求項６】
前記クロスワイヤセグメントが前記テンションマスクフレームに取り付けられる場合に前記クロスワイヤセグメントの張力を張る段階をさらに含むことを特徴とする、請求項５に記載の方法。
【請求項７】
移動バー（３０６）で前記クロスワイヤセグメントの張力を張る段階をさらに含むことを特徴とする、請求項６に記載の方法。
【請求項８】
前記マスクフレームアセンブリが前記円筒状のドラムの周りを回転する段階をさらに含むことを特徴とする、請求項７に記載の方法。
【請求項９】
前記円筒状のドラムと前記クロスワイヤにバネがロードしたクロスワイヤ移動装置（５５２）を取り付ける段階をさらに含むことを特徴とする、請求項５に記載の方法。
【請求項１０】
前記バネがロードしたクロスワイヤ移動装置に前記クロスワイヤをクランプする段階をさらに含むことを特徴とする、請求項５に記載の方法。
【請求項１１】
前記円筒状のドラムから前記クロスワイヤを磁気真空装置（４０８）を使用して取り外す段階をさらに含むことを特徴とする、請求項５に記載の方法。
【請求項１２】
前記クロスワイヤが前記円筒状のドラムに対して未だに取り付けられている間に前記クロスワイヤに１セットの移動バーを取り付ける段階をさらに含むことを特徴とする、請求項５に記載の方法。
【発明の詳細な説明】
【０００１】
本発明は、一般的にカラー受像管に関し、より詳細には、ドラムユニットアセンブリからテンションマスクアセンブリにクロスワイヤを移動して適用するための方法と装置に関する。
【０００２】
発明の背景
カラー受像管は、管のスクリーンに対して３つの電子ビームを形成して導くための電子銃を含む。スクリーンは管の表面板の内部表面に位置しており、リン光体を放出する異なった３色のアレイ要素から成る。さらに、シャドーマスクと呼ばれる、色を選択する電極は、各電子ビームがそれらの各々のビームと関連するリン光体だけを打つように銃とスクリーンとの間に位置している。シャドーマスクは、シートのような金属の薄膜であり、すなわち多少なりとも、管の表面板の内部表面に平行するように形に合わせて形成される。テンションマスクは、ストランドテンションマスク（ａ  ｓｔｒａｎｄ  ｔｅｎｓｉｏｎ  ｍａｓｋ）、タイバーテンションマスク（ｔｉｅ−ｂａｒ  ｔｅｎｓｉｏｎ  ｍａｓｋ）又はテンションフォーカスマスク（ｔｅｎｓｉｏｎ  ｆｏｃｕｓ  ｍａｓｋ）である。テンションフォーカスマスクは、互いに垂直であり絶縁体によって分離している、２セットの伝導性ラインを含む。マスク開口部の各々に集束レンズを生成するために異なる電圧が２セットのラインに適用される。一般的に、テンションフォーカスマスクにおいて、伝導性ラインの垂直セット又はストランドは張力の影響を受けており、伝導性ラインの水平セット又はクロスワイヤはストランドに重なる。
【０００３】
テンションフォーカスマスクのアセンブリにおいて、視覚的な性能を最適化するためにストランド間とクロスワイヤ間に一定の間隔を達成する高度な正確さでクロスワイヤとストランドを組み立てる必要がある。したがって、垂直な伝導性要素間と水平な伝導性要素間に正確な間隔を提供する、テンションフォーカスマスクを組み立てるための技術を確立することが望ましい。
【０００４】
発明の概要
本発明は、ドラムアセンブリからマスクフレームアセンブリにクロスワイヤを移動して取り付ける方法及び装置を提供する。本方法は、ドラムアセンブリに巻き付いている、複数のクロスワイヤを含む。次いで、クロスワイヤは、ドラムアセンブリからマスクフレームアセンブリに移動される。一の実施態様において、クロスワイヤは、ドラムアセンブリからマスクフレームアセンブリ上に直接的に移動される。他の実施態様において、移動装置は、クロスワイヤをドラムアセンブリからマスクフレームアセンブリに移動するように使用される。
【０００５】
第一の実施態様において、クロスワイヤが巻き付いているドラムアセンブリは、クロスワイヤをマスクフレームアセンブリ上で広げる。かかる方法において、マスクフレームアセンブリとドラムアセンブリの両アセンブリは、個別の異なった軸点に関して回転し、クロスワイヤがドラムからマスクフレームに移動されるような往復運動する手法で移動する。第二の実施態様において、ドラムアセンブリに巻き付けられた、クロスワイヤは、移動装置によって切断されて、ドラムアセンブリからマスクフレームアセンブリ上に移動される。第三の実施態様において、ドラムに巻き付けられたクロスワイヤは、ドラムアセンブリから切断されてマスクフレームアセンブリに移動されるようにクロスワイヤを真っ直ぐにして張力を張る、セルフテンション装置を含む、マスクフレーム移動装置によってドラムからマスクフレームアセンブリに移動される。
【０００６】
発明の詳細な記載
図１は、長方形の表面板１４と長方形の筒１８によって接続されたネック１６を備える、ガラス膜１２を有する陰極線管１０を示す。筒１８は、陽極ボタン２０からネック１６まで延在して、さらにパネル１４まで延在する、内部の伝導性コーティング（示されていない）を有する。パネル１４は、見る表面板２２と、ガラス密封フリット２６によって筒１８に密封される周辺のフランジ又は側壁２４を備える。３色の発光スクリーン２８は、表面板２２の内部表面によって保持される。スクリーン２８は、三構造で配置された発光ラインを備えるラインスクリーンであり、各三構造は３色の各々の発光ラインを含んでいる。テンションフォーカスマスク３０は、スクリーン２８に相関する所定間隔で移動式に設置される。テンションフォーカスマスク３０は、ストランドとクロスワイヤを横切って接続される差動電圧を有する。電子銃３２（図１の点線で概略的に示される）は、スクリーン２８に対してマスク３０を通過する集束経路に沿って、センタービームと２つのサイドビームである、３つのインライン電子ビームを発生するためにネック１６内の中央に取り付けられる。
【０００７】
管１０は、ネックの接続に対する筒に隣接して示されるヨーク３４のような、外部の磁気偏向ヨークを備えて使用されるように設計される。起動した場合、ヨーク３４は、スクリーン２８上の長方形のラスターにおいてビームを水平に垂直に走査させる磁場に３つのビームを従わせる。
【０００８】
図２でさらに詳細に示される、テンションフォーカスマスク３０は、２つの長い側３６、３８及び２つの短い側４０、４２を含む。マスク３０の２つの長い側３６、３８は、管１０の中央の主軸ｘに平行である。テンションフォーカスマスク３０は、中央の副軸ｙに対して平行でさらに互いに平行であるストランド４４と、中央の主軸ｘに対して平行でさらに互いに平行であるクロスワイヤ４６である、２セットの伝導性ラインを含む。一の実施態様において、ストランド４４は、約０．００５乃至０．０２０インチ幅で０．００１乃至０．００８インチ厚の垂直に延在する、フラットなストリップであり、クロスワイヤ４６は０．０００５乃至０．００３インチの直径で水平に延在する、円形の断面を有する。完成品のマスク３０において、ストランド４４とクロスワイヤ４６は、鉛を基にしたフリットなどの適切な絶縁体によって互いに分離している。
【０００９】
図３Ａ乃至３Ｅは、本発明における一の実施態様である、システム３００の様々な図を描写する。かかるシステム３００は、マスクフレームアセンブリ３０４と一致するドラムユニット３０１を備える。かかるドラムユニット３０１は、ドラム３０２と、クロスワイヤ４６と移動バー３０６から構成される。
【００１０】
移動バー３０６は、ドラムユニット３０１の軸に平行で、クロスワイヤ４６に対して垂直である、垂直な配位で一時的に取り付けられている。クロスワイヤ４６は、一つのテンションフォーカスマスク３０を完全にするために十分に長い部分において移動バー３６上でドラムユニット３０１に巻きつけられている。ドラムユニット３０１の周囲は、マスクフレームアセンブリ３０４の多重の長さであり、それによってドラムユニット３０１の各回転における複数のテンションフォーカスマスク３０の生成を容易にする。クロスワイヤ４６を移動バー３０６上でドラムユニット３０１に巻きつけた後で、クロスワイヤ４６は接点で移動バー３０６に固着される。
【００１１】
移動工程は、マスクフレームアセンブリ３０４に取り付けられている移動バー３０６で開始する。第一移動バー３０６Ｂは、マスクフレーム要素３１４が開始する前の点においてマスクフレームアセンブリ３０４の一部分に固定される。次いで、クロスワイヤ４６はマスクフレームアセンブリ３０４に移動されて、第二移動バー３０６Ａは、マスクフレーム要素３１４が終了した後の点においてマスクフレームアセンブリ３０４の一部分に固着される。次ぎに、接着剤は、クロスワイヤ４６がバスバー３１２Ａ、３１２Ｂ上を通り、接着剤が硬化される点でクロスワイヤ４６に適用される。硬化後、クロスワイヤ４６は移動バー３０６Ａ、３０６Ｂから切断され、マスクフレーム要素３１４はマスクフレームアセンブリ３０４から取り外される。
【００１２】
マスクフレームアセンブリ３０４は、マスクフレームの据え付け設備３１６と、マスクフレーム要素３１４から構成される。マスクフレーム要素３１４は、マスクフレーム据え付け設備３１６に取り付けられる。さらにマスクフレーム要素３１４は、マスクフレーム要素３１４に溶接されている一セットのマスクストランド４４と、マスクフレームアセンブリ３０４に固定される、回転往復軸３０８を備えて成る。マスクフレームアセンブリ３０４上にクロスワイヤ４６を位置付けする工程の開始前に、絶縁体はマスクストランド４４に適用される。
【００１３】
図３Ａは、マスクフレームアセンブリ３０４に取り付けられているクロスワイヤ４６を描写する。図３Ｂで認識されるように、マスクフレーム３０４は、マスクフレームアセンブリ３０４の背面部分３０３に固定されている、軸３０８に関して時計回りで回転するように開始する。マスクフレームアセンブリ３０４が移動装置３０７で時計回りに回転するにつれて、ドラムユニット３０１は、マスクフレームアセンブリ３０４に対して反時計回りに広がり固定させる移動バー３０６を回転させる。移動バー３０６は、適切な手段によってマスクフレームアセンブリ３０４に取り付けられる。下記に限定しないが、これは接着、溶接又はクランピングを含む。
【００１４】
マスクフレーム３０４とドラムアセンブリ３０２の両者は、水平な面で前後に移動する。かかる前後の動きは、ドラムアセンブリ３０２とマスクフレーム３０４との間の最小限のギャップを維持する間に特定の張力を適用され、したがって、クロスワイヤ４６間に一定間隔を保証する。
【００１５】
図３Ｃはマスクフレーム３０４に取り付けられている第二移動バー３０６Ｂを描写する。ドラム３０２とマスクフレーム３０４間に可能な限り小さいギャップを維持しながら、ドラム３０２は、ドラム３０２に向かうマスクフレーム３０４とマスクフレームアセンブリ３０４に後ろに向かって移動した。かかる工程の移動部分は、第一移動バー３０６Ａがマスクフレームアセンブリ３０４の反対側に到達して適所に固定されるように終了する。
【００１６】
図３Ｄはマスクフレームアセンブリ３０４の側面図を描写する。かかる図において、クロスワイヤ４６に沿う第一及び第二移動バー３０６Ａは、マスクフレームアセンブリ３０４に移動される。バスバー３１２Ａと３１２Ｂがマスクフレーム要素３１４に取り付けられていることがかかる図から明白である。バスバー３１２Ａと３１２Ｂは、クロスワイヤ４６に接着される。接着が硬化した後、クロスワイヤ４６は、第一移動バー３０６Ａと隣接するバスバー３１２Ｂ間と、さらに第二移動バー３０６Ｂと隣接するバスバー３１２Ａ間における点で切断される。
【００１７】
図３Ｅは、マスクフレームの据え付け設備３１６から取り外されているマスクフレーム要素３１４を示している、マスクフレームアセンブリ３０４の側面図である。クロスワイヤ４６がバスバー３１２Ａ、３１２Ｂから切断され、マスクフレーム要素３１４がマスクフレームの据え付け設備３１６から取り外されていることが明白に示されている。
【００１８】
図４Ａ、４Ｂ及び４Ｃは、本発明の代替となる実施態様の装置４００の斜視図である。図４Ａ乃至４Ｃは、３つの構成部分を備えて成る装置を示す。第一は図４Ａに示されるドラムアセンブリ４０４であり、第二はマスク３０とマスク３０との間にサンドイッチ状に挟まれた１セットのクロスワイヤ４６を備えて上部から見る、図４Ｂに示される移動装置４０６であり、第三は図４Ｃの斜視図で示されるマスク３０である。かかる実施態様において、図４Ｂに示されるマスク３０に対して移動装置４０６よって移動される以前に、ワイヤスプール４０２はドラムアセンブリ４０４の大型の回転ドラム４０１にクロスワイヤ４６を巻きつける。ワイヤスプール４０２は、ドラムアセンブリ４０４にかなり接近して位置される。低張力が、クロスワイヤ４６間で一定間隔を提供することを支援する、クロスワイヤ４６で維持される。
【００１９】
図４Ｂに描写されるような、かかる実施態様の装置４００は、移動装置４０６である。移動装置４０６は、電磁気ホルダ４０８と、形に合わせて形成された取り付けポイントと、カッター４１２と、バキュームコンフォーマ（ｃｏｎｆｏｒｍｅｒ）４１４と、自動バスバーアタッチャ（ａｔｔａｃｈｅｒ）４１６とを備えて成る。移動装置４０６は、ドラムアセンブリ４０４のドラム４０１の形に整合するように形成される。移動装置４０６は、単一のテンションマスクを生成するように使用されるであろう、図４に描写されるようにクロスワイヤ４０５の一部分を覆うように十分に大型である。クロスワイヤ４０５のかかる部分は、明瞭にするために移動装置４０６を備えずに示される。
【００２０】
実際上、移動装置４０６はドラムアセンブリ４０４に適用される。移動装置４０６は、ドラムアセンブリ４０４に対して押されて、電磁気ホルダ４０８が起動した。電磁気ホルダ４０８が活性になるにつれて、クロスワイヤ４６と移動バー３０６Ａ、３０６Ｂは、それら自身及びホルダー４０８に相関して固定されるようになる。ドラムアセンブリ４０４は、移動装置４０６の操作を干渉しないように任意の非磁気物質から形成されるかもしれない。クロスワイヤ４６がそれら自身と電磁気ホルダ４０８に相関して磁気的に固定された後で、カッター４１２は、ドラムアセンブリ４０４のクロスワイヤ４６を切断するために起動される。クロスワイヤ４６の切断後、移動装置４０６はドラムアセンブリ４０４から取り外されて、クロスワイヤ４６がマスクフレーム３０上に取り付けられる際に図４Ｂで認識されるように、マスクフレーム３０上に位置される。クロスワイヤ４６がマスクストランド４４に適用される以前に、絶縁体はマスクストランド４４に適用される。
【００２１】
図４Ｃは、クロスワイヤ４６が取り付けられる以前に適所に溶接されるストランド４４を備えるマスクフレーム３０の斜視図を描写する。クロスワイヤ４６はマスクフレーム３０でストランド４４に対して垂直に取り付けられる。クロスワイヤ４６によってマスク３０と接触される以前に、接着剤はマスクフレーム３０のマスクストランド４４に適用される。電磁気ホルダ４０８はマスク３０に対して直接的に適用され、さらに電磁気ホルダ４０８が不活性化されて取り外される以前にクロスワイヤ４６はマスクストランド４４と結合される。
【００２２】
図５Ａは、別の代替となる実施態様の装置５０６の斜視図である。かかる実施態様において、図５Ｂ乃至５Ｅで見られるように、第二装置によってマスクフレームアセンブリに移動される以前に、多重のワイヤスプール５０２はドラムアセンブリ５０４のドラム５０３にクロスワイヤ４６を巻きつける。好ましくは、ドラムアセンブリ５０４は、直径が８乃至１０フィート間であるように組み立てられる。ドラムアセンブリ５０４は、クロスワイヤがドラムアセンブリ５０４に巻きつけられるように一定にクロスワイヤ４６の間隔を置くためのシステムを装備している。
【００２３】
図５Ｂ、５Ｃ及び５Ｄは、本発明の第二部分である、クロスワイヤ移動構造５５０で使用されるようにバネがロードされたクロスワイヤ移動装置５５２の斜視図である。クロスワイヤ移動構造５５０は、ドラムアセンブリ５０４からマスク３０（すでに記載の実施態様で示される）に巻かれたクロスワイヤ４６を移動するために使用される。バネがロードされたクロスワイヤ移動装置５５２は、１セットの摺動するバキュームチャックアセンブリ５５６によって接続される実質的に水平な面で互いに平行である、２つのそれぞれの端を有する、２つのセグメントによって形成される、フレームから構成される。摺動するバキュームチャックアセンブリ５５６は、各摺動するバキュームチャックアセンブリ５５６で、フレームセグメント５５４の周囲に配置された拡張されたバネ５７０の一部分によって張力が維持される。
【００２４】
各摺動するバキュームチャックアセンブリ５５６は、２つのそれぞれの端を有するクロスバー５５８から構成される。それぞれの各端で、クロスバー５５８は垂直に取り付けられ、さらに各端において、中空管５６０の部分における直径は、フレームセグメント５５４の直径よりも大きい。中空管５６０の両部分は互いに対して実質的に平行であり、クロスバー５５８に対して垂直である。
【００２５】
摺動するバキュームチャックアセンブリ５５６は、さらにクロスバー５５８の底部を横切って配置される、回転するバキュームチャックアセンブリ５８０を備える。回転するバキュームチャックアセンブリ５８０は、バキュームチャック５８２と、１セットのクランプ５８４と、バキュームチャック５８２とクロスバー５５８間に配置された、板バネアセンブリ５８６とを備える。回転するバキュームチャックアセンブリ５８０は、ドラムアセンブリ５０４上にクランプされ、さらに掴み、かつクロスワイヤ４６を保持するように特別に設計される。移動構造５５０に位置される、１セットのクランプ５８４は、ドラム５０３の小さい窪み５８３内に係止する。窪み５８３はクランプ５８４を適所に整合させて安全に係止させる。
【００２６】
クロスワイヤ移動構造５５０は、クロスバー５５８に取り付けられる、中空管５６０の各端を通る２つのフレームセグメント５５４を配置することによって組立られる。フレームバーが中空管５６０を通過して配置された後、フレームバーは、ストッパ５５５を備える、それぞれの端に摺動的に移動して下げられる。ストッパ５５５は、中空管５６０がフレームセグメント５５４の端から落ちることを防ぐ取り外し可能な妨害である。ここで、拡張バネ５７０は、中空管５６０の構造によって停止されるまで、フレームバー５５４上に位置している。この時点で、第二の摺動するバキュームチャックアセンブリ５５６は、フレームセグメント５５４を中空管５６０の開口内に挿入することによって、２つのフレームセグメント５５４上に位置して摺動される。一旦、適所では、摺動するバキュームチャックアセンブリ５５６は、移動できるように取り付けられたストッパ５５５によってフレームセグメント５５４上で保持される。この時点において、拡張するバネ５７０は、（圧縮があったとしても）ほとんど圧縮されていない。
【００２７】
実際上、クロスワイヤ４６がドラム５０４に巻きつけられた後、バネがロードされたクロスワイヤ移動装置５５２は、この時点で適用される。最初に、バネがロードされたクロスワイヤ移動装置５５２は、摺動するバキュームチャックアセンブリ５５６をお互いに向かって移動することによって圧縮下状態に配置する。摺動するバキュームチャックアセンブリ５５６がお互いに向かって移動するにつれて、１セットのスペーサー５７２が張力下で圧縮された摺動するチャックアセンブリを保持するために使用される。
【００２８】
次いで、バネがロードされたクロスワイヤ移動装置５５２は、クランプ５８４によってドラムアセンブリ５０４上にクランプされる。回転するバキュームチャックアセンブリ５８０は、クロスワイヤ４６をバキュームチャック５８２に付着させることで活性化される。次いで、カッター（示されていない）は、クロスワイヤセグメントを形成するためにドラムアセンブリ５０４からクロスワイヤ４６を切断するために使用される。この時点において、クロスワイヤ４６は、バネがロードされたクロスワイヤ移動装置５５２によって保持されている。次ぎに、クロスワイヤ移動構造５５０が留め金を緩められてドラムアセンブリ５０４から取り外されるので、スペーサー５７２は、拡張するために圧縮をバネ５７０にもたらす、バネがロードされたクロスワイヤ移動装置５５２から取り外され、したがって、張力下でクロスワイヤ４６を保持する。かかる張力はクロスワイヤ４６を適切で一定の間隔に維持することを可能にする。次いで、バネがロードされたクロスワイヤ移動装置５５２は、前述の実施態様に関して記載のようにクロスワイヤ４６がマスク３０に移動できる際の前述の実施態様に関して記載のようにマスク３０に移動される。
【００２９】
本発明の教示を組み入れる実施態様が詳細に記載されて示されるように、当業者は、本発明の趣旨を逸脱しないで、かかる教示を組み込んでいる、多くの修正された実施態様の装置が容易に可能である。
【図面の簡単な説明】
【図１】
本発明による、テンションフォーカスマスクフレームアセンブリを備えるカラー受像管の軸部分における部分的な側面図である。
【図２】
図１のテンションフォーカスマスクフレームアセンブリの斜視図である。
【図３Ａ】
本発明の第一実施態様における装置の斜視図である。
【図３Ｂ】
本発明の第一実施態様における装置の斜視図である。
【図３Ｃ】
本発明の第一実施態様における装置の斜視図である。
【図３Ｄ】
本発明の第一実施態様における装置の側面図である。
【図３Ｅ】
本発明の第一実施態様における装置の側面図である。
【図４Ａ】
代替となる実施態様における装置の斜視図である。
【図４Ｂ】
代替となる実施態様における装置の斜視図である。
【図４Ｃ】
代替となる実施態様における装置の斜視図である。
【図５Ａ】
別の代替となる実施態様における装置の斜視図である。
【図５Ｂ】
別の代替となる実施態様における装置の斜視図である。
【図５Ｃ】
別の代替となる実施態様における装置の斜視図である。
【図５Ｄ】
別の代替となる実施態様における装置の斜視図である。
【図５Ｅ】
別の代替となる実施態様における装置の斜視図である。
【国際公開パンフレット】
2004516632.tif 000003
2004516632.tif 000004
2004516632.tif 000005
2004516632.tif 000006
2004516632.tif 000007
2004516632.tif 000008
2004516632.tif 000009
2004516632.tif 000010
2004516632.tif 000011
2004516632.tif 000012
2004516632.tif 000013
2004516632.tif 000014
2004516632.tif 000015
2004516632.tif 000016
2004516632.tif 000017
2004516632.tif 000018
2004516632.tif 000019
2004516632.tif 000020
2004516632.tif 000021
2004516632.tif 000022
2004516632.tif 000023
2004516632.tif 000024
【国際公開パンフレット（コレクトバージョン）】
2004516632.tif 000025
【手続補正書】
【提出日】平成15年3月25日(2003.3.25)
【手続補正１】
【補正対象書類名】明細書
【補正対象項目名】特許請求の範囲
【補正方法】変更
【補正の内容】
【特許請求の範囲】
【請求項１】
陰極線管の製造方法であって、該方法は
テンションマスクフレームアセンブリ（３０４）を提供する段階と、
装置（３００、４００、５０６）を使用してクロスワイヤ（４６）を前記テンションマスクフレームアセンブリに適用する段階を含み、前記装置は、
（ａ）ドラム（３０２、４０１、５０３）に同時に巻き付けられた一つ以上の前記クロスワイヤを有するドラムアセンブリ（３０１、４０４、５０４）と、
（ｂ）前記ドラムから複数のクロスワイヤセグメントを同時に取り外し、かつ、前記マスクフレームアセンブリ上に前記クロスワイヤセグメントを位置付けるクロスワイヤ移動装置（３０７、４０６、５５０）と
を備えることを特徴とする、方法。
【請求項２】
前記クロスワイヤ移動装置は、１セットの移動バー（３０６）を備えることを特徴とする、請求項１に記載の方法。
【請求項３】
前記クロスワイヤ移動装置は、形に合わせて形成された磁気真空装置（４０８）であることを特徴とする、請求項１に記載の方法。
【請求項４】
前記クロスワイヤ移動装置は、バネがロードされたクロスワイヤ移動装置（５５２）であることを特徴とする、請求項１に記載の方法。
【請求項５】
テンションマスク（３０）にクロスワイヤ（４６）を適用するための方法であって、
（ａ）円筒状のドラム（３０２、４０１、５０３）に少なくとも一つのクロスワイヤを同時に巻き付ける段階と、
（ｂ）前記少なくとも一つのクロスワイヤを外部の移動手段で適所に保持する段階と、
（ｃ）特定の長さを有するクロスワイヤセグメントを形成するために少なくとも一つのクロスワイヤを切断する段階と、
（ｄ）前記クロスワイヤセグメントを前記外部の移動手段で前記テンションマスクに移動する段階と、
（ｅ）前記クロスワイヤセグメントを前記テンションマスクに取り付ける段階と
を含むことを特徴とする、方法。
【請求項６】
前記クロスワイヤセグメントが前記テンションマスクフレームに取り付けられる場合に前記クロスワイヤセグメントの張力を張る段階をさらに含むことを特徴とする、請求項５に記載の方法。
【請求項７】
前記外部の移動手段は移動バー（３０６）である、前記移動手段で前記クロスワイヤセグメントの張力を張る段階をさらに含むことを特徴とする、請求項６に記載の方法。
【請求項８】
前記マスクフレームアセンブリが前記円筒状のドラムの周りを回転する段階をさらに含むことを特徴とする、請求項７に記載の方法。
【請求項９】
前記円筒状のドラムと前記クロスワイヤにバネがロードしたクロスワイヤ移動装置（５５２）を取り付ける段階をさらに含むことを特徴とする、請求項５に記載の方法。
【請求項１０】
前記バネがロードしたクロスワイヤ移動装置に前記クロスワイヤをクランプする段階をさらに含むことを特徴とする、請求項５に記載の方法。
【請求項１１】
前記円筒状のドラムから前記クロスワイヤを磁気真空装置（４０８）を使用して取り外す段階をさらに含むことを特徴とする、請求項５に記載の方法。
【国際調査報告】
2004516632.tif 000026
2004516632.tif 000027